【事件の表示】
　特願２００４−　３６２８８「軟化剤を含有するフォームラバーおよびその製造方法」拒絶査定不服審判事件〔平成１７年　８月２５日出願公開、特開２００５−２２５９８４〕について、次のとおり審決する。
【結　論】
　本件審判の請求は、成り立たない。
【理　由】
第１　手続の経緯
　本願は，平成１６年２月１３日の出願であって，平成２１年６月５日付けで拒絶理由が通知されたが，その指定期間内に意見書が提出されず手続補正もされなかったところ，同年１０月１４日付けで拒絶査定がされた。これに対して，平成２２年１月１９日に拒絶査定不服の審判が請求されたものである。
　
第２　本願発明
　本願の請求項１に係る発明（以下「本願発明」という。）は，出願時の特許請求の範囲の請求項１に記載された事項により特定される次のとおりのものである。
　「ゴム系ポリマーと軟化剤とを含有するフォームラバー。」
　
第３　原査定の拒絶の理由
　原査定の拒絶の理由は，要するに，本願発明は，本願の出願前に頒布された下記引用文献１〜５に記載された発明であるから，特許法２９条１項３号に該当し，特許を受けることができない，というものである。（なお，原査定の拒絶の理由は，上述のほか，本願発明はいわゆる進歩性を欠くという理由，本願の明細書の発明の詳細な記載はいわゆる実施可能要件を満たしていないという理由を含む。）
　引用文献１：　特公昭３９−１８７４１号公報
　引用文献２：　特開２００２−２０５２０号公報
　引用文献３：　特開２００３−２７６２９２号公報
　引用文献４：　特開２０００−２２６４６４号公報
　引用文献５：　特開昭６１−２１３２３０号公報
　
第４　合議体の認定，判断
１　引用文献に記載された発明
　（１）　引用文献１について
　ア　査定の理由に引用された上記引用文献１には，次の記載がある。（下線は審決で付記。以下同じ。）
　「本発明は
オイルを
直接ラテツクスに混和して得られた組成物又はその配合物より，泡ゴムを製造
　「本発明に使用されるオイルは，通常塊状油展ゴムの製造に使用されるオイルと同種のものでよく，例えば非汚染性の製品に対してはナフテニツク系のオイル，汚染性の製品に対してはアフロマテツク系のオイルを使用することが出来る。」（１頁右欄３０〜３４行）
　「
オイルの配合によるラテツクス製品の硬度の低下
　「実施例１
　次の処方にしたがう２種のラテツクス配合物ＡとＢより常法で泡ゴムを作成し，性質を測定する。
　配合処方　　　　　　　　　重量部（乾）
　成分　　　　　　　　　　　Ａ　　　　Ｂ
　
ＳＢＲラテツクス
　
オイル
　オイルエマルジヨン　　　　−　　　　３０
　トリメンベース　　　　　　０．５　　０．５
　促進剤　　　　　　　　　　２．０　　２．０
　老化防止剤　　　　　　　　１．０　　１．０
　硫黄　　　　　　　　　　　３．０　　３．０
　亜鉛華　　　　　　　　　　２．０　　２．０
　けい弗化ソーダ　　　　　　２．５　　２．５
　使用したＳＢＲラテツクスは乳化重合によってつくられたもの…である。オイルはナフテニツク系の石油…。先づラテツクスを攪拌しつつオイル…をいずれも油量として３０部になるよう加えると，直ちに均一に乳化する。次いで亜鉛華とけい弗化ソーダを除く他の成分を加え，数分攪拌をつづけると均一なラテツクス配合物が得られる。この配合物を泡立機で所望の泡密度に達するまで起泡し，起泡中に亜鉛華とけい弗化ソーダを加えてモールドに注入する。
　モールドにフタをし，ゲル化後１００℃の熱湯中で４５分間加硫し，モールドから取出して水洗，乾燥する。」（２頁左欄１１〜３９行）
　「１　ゴムを少くとも６０％（重量）含有する
ラテツクスに，オイルを
直接混合して得た組成物またはその配合物を用いることを特徴とする泡ゴム
　イ　上記アのとおり，特許請求の範囲の記載などを総合すると，引用文献１に記載された発明（以下「引用発明１」という。）は，次のとおりのものと認める。
　「ゴムを含有するラテツクスに，オイルを直接混合して得た組成物またはその配合物を用いた泡ゴム」
　
　（２）　引用文献２について
　ア　査定の理由に引用された上記引用文献２には，次の記載がある。
　「【請求項１】  
油脂類を含むことをを特徴とするゴム弾性スポンジ
　「【発明の属する技術分野】本発明は，ゴム弾性を持つスポンジ及びその製造方法についてであり，特にしっとりとした感触のするスポンジとその製造方法に関するものである。」（【０００１】）
　「【課題を解決するための手段】本発明者らは鋭意研究検討した結果，油脂類をスポンジに含ませることによりしっとり感が出せることを見い出し，本発明を完成させた。すなわち，本発明のスポンジは，ゴム弾性を持つスポンジに油脂類を含ませたことを特徴とするものである。」（【０００５】）
　「本発明のスポンジは，スポンジに油脂類を含むことによりしっとり感を出している。
本発明の油脂類とは，天然または人工に得られる脂肪酸エステル類，ラノリン，動物性の毛より抽出される油脂，スクワラン，スクワレン（スキュワラン，スキュワレン  深海鮫の肝臓より抽出した油脂で，人工物も知られている），ビサボロール，ロウなどであり，１種または２種以上を混合して使用することができる
　
本発明のスポンジとは，
ゴムを原料にして発泡成形をした，ゴム弾性を持っているスポンジで，連続気泡または独立気泡のスポンジである
上記ゴムにはＮＲ，ＤＰＮＲ，ＮＢＲ，ＩＲ，ＢＲ，ＳＢＲ，ＣＲ，ＥＰＤＭ，シリコンゴム，アクリルゴムなどであり，１種または２種以上を混合して使用することができる。ゴムはラテツクスとして使用することができ，また，樹脂単独で使用することもできる
　
本発明のスポンジは原料樹脂と油脂類と各種助剤の混合物を発泡成形することによって製造することができる
　イ　上記アのとおり，引用文献２には，請求項１に記載されたゴム弾性スポンジについて，原料樹脂であるゴムと油脂類と各種助剤の混合物を発泡成形して製造されるとの記載があることなどを総合すると，引用文献２に記載された発明（以下「引用発明２」という）は，次のとおりのものと認める。
　「ゴムと油脂類と助剤とを含むゴム弾性スポンジ」
　
　（３）　引用文献５について
　ア　査定の理由に引用された上記引用文献５には，次の記載がある。
　「粉末ゴム粒子中に発泡剤を含有する
粉末ゴム１００重量部に対して
軟化剤を１〜２５０重量部添加配合してなる発泡性組成物
　「
本発明はゴム発泡体の製造法に適した発泡性組成物に関するものである
　「本発明に使用されるゴムは特に制限されるものではなく，
ゴムとしては天然ゴム，ポリクロロプレンゴム，アクリロニトリル−ブタジエン共重合ゴム，エチレン−プロピレン共重合ゴム，クロルスルフォン化ポリエチレン，イソブチレン−イソプレン共重合ゴム，ポリイソプレンゴム，ポリブタジエンゴム，スチレン−ブタジエン共重合ゴム等
　「本発明で云う可塑剤及び／又は軟化剤とは，一般にゴムの可塑剤もしくは軟化剤として，練りロール，バンバリーミキサ−等でゴムに添加混練りして使用されているものであればよい。…
軟化剤も同様に鉱物油系軟化剤，植物油系軟化剤類等であって，例えばパラフィン系オイル，ひまし油，綿実油，あまに油，なたね油，大豆油，やし油，落花生油等
　「本発明は前述した発泡性粉末ゴムに可塑剤及び／又は軟化剤，ゴム用配合剤類あるいは特殊な配合剤類を添加攪拌して得た発泡性組成物にある。そして，該組成物を発泡させるための方法は特に制限されるものではなく，発泡方法として例えば，得られた発泡性組成物を金型に入れ加圧下で加熱発泡する方法，押出機で成形，あるいはカレンダーロールでシート出ししそれを加硫釜，電子レンジ，加熱浴槽，加熱空気槽等で加熱発泡する方法，あるいは射出成形機で加熱発泡する方法等が挙げられる。」（３頁右下欄７〜１７行）
　イ　上記アのとおり，特許請求の範囲の記載などを総合すると，引用文献５に記載された発明（以下「引用発明５」という。）は，次のとおりのものと認める。
　「発泡剤を含有する粉末ゴムに対して軟化剤を添加配合してなる発泡性組成物を発泡して得られたゴム発泡体」
　
２　対比
　（１）　本願発明と引用発明１との対比
　本願発明と引用発明１とを対比すると，引用発明１の「ゴムを含有するラテツクス」は本願発明の「ゴム系ポリマー」に，「泡ゴム」は「フォームラバー」にそれぞれ相当する。また，引用発明１の「オイル」について，引用文献１にはその具体的実施形態としてナフテニツク系の石油が例示されているところ（実施例１），これは本願発明の「軟化剤」の例として本願明細書に記載されているナフテン系プロセスオイル（【００１１】）に相当するものであるし，さらに引用文献１には，オイルを配合することによりラテツクス製品の硬度が低下する旨の記載（１頁右欄下から４行）があることからすれば，引用発明１の「オイル」は本願発明の「軟化剤」に相当するものであるといえる。
　そうすると，本願発明と引用発明１との間に，差異は見いだせない。
　
　（２）　本願発明と引用発明２との対比
　本願発明と引用発明２とを対比すると，引用発明２の「ゴム」は本願発明の「ゴム系ポリマー」に，「ゴム弾性スポンジ」は「フォームラバー」にそれぞれ相当する。また，引用発明２の「油脂類」について，引用文献２にはスポンジに含ませることでしっとり感を出させるとの記載があるし（【０００５】），さらに引用文献２には，天然または人工に得られる脂肪酸エステル類，ラノリン，動物性の毛より抽出される油脂，スクワラン，スクワレン，ビサボロール，ロウなどが例示されているところ（【０００７】），これらは本願発明の「軟化剤」の例として本願明細書に記載されている動物油や生物起源脂肪酸エステル油（【００１１】）に相当するものであることからすれば，引用発明２の「油脂類」は本願発明の「軟化剤」に相当するものであるといえる。
　そうすると，本願発明と引用発明２との間に，差異は見いだせない。
　
　（３）　本願発明と引用発明５との対比
　本願発明と引用発明５とを対比すると，引用発明５の発泡性組成物を構成する「粉末ゴム」は本願発明の「ゴム系ポリマー」に，「ゴム発泡体」は「フォームラバー」にそれぞれ相当する。また，引用発明５の「軟化剤」について，引用文献５にはその具体的例示として鉱物油系軟化剤，植物油系軟化剤類等であって，例えばパラフィン系オイル，ひまし油，綿実油，あまに油，なたね油，大豆油，やし油，落花生油が挙げられているところ（３頁右上欄６行），これら例示のものは本願発明の「軟化剤」の例として挙げられているもの（【００１１】）と何ら異ならない。
　そうすると，本願発明と引用発明５との間に，差異は見いだせない。
　
３　むすび
　以上のとおり，本願発明は，引用文献１，２ならびに５に記載された発明であるから，特許法２９条１項３項に該当し，特許を受けることができない。すなわち，原査定の拒絶の理由は妥当なものであり，本願は，原査定の理由により拒絶すべきものである。
　よって，結論のとおり審決する。